(57)【要約】【課題】  防水扉に対する他の防水扉や固定パネル等のふらつきを防止し、浸水防止性能を高水準に維持することのできる防水扉装置を提供する。【解決手段】  防水扉装置では、起倒可能である防水扉２と、防水扉２に隣接する止水支柱７６と、防水扉２及び止水支柱７６に設置される係合手段とを備え、係合手段は、防水扉２の起立移動により、防水扉２側と、止水支柱７６側とで互いに係合し、防水扉２の起倒方向に対して交差する方向への、防水扉２と、止水支柱７６との相対移動を規制する。当該係合手段は、防水扉２に設けた、起倒方向の溝８６と、止水支柱７６に設けた、起立状態の防水扉２の溝８６に向けて張出す突起８４とを含み、防水扉２の起立時に溝８６と突起８４が互いに係合する。【選択図】  図１３
2008138375.tif 000002
【特許請求の範囲】
【請求項１】
起倒可能である第１の防水扉と、
防水扉に隣接する第２の防水扉もしくは固定パネルと、
第１の防水扉、及び第２の防水扉もしくは固定パネルに設置される係合手段
とを備え、
係合手段は、
第１の防水扉の起立移動により、第１の防水扉側と、第２の防水扉もしくは固定パネル側とで互いに係合し、
第１の防水扉の起倒方向に対して交差する方向への、第１の防水扉と、第２の防水扉もしくは固定パネルとの相対移動を規制する
ことを特徴とする防水扉装置。
【請求項２】
係合手段は、
第１の防水扉に設けた、起倒方向の嵌合溝と、
第２の防水扉もしくは固定パネルに設けた、起立状態の第１の防水扉の嵌合溝に向けて張出す係合片と
を含み、
第１の防水扉の起立時に嵌合溝と係合片が互いに係合する
ことを特徴とする請求項１に記載の防水扉装置。
【請求項３】
係合手段は、
第１の防水扉の起立時上面において扉幅方向に間隔をあけて設けた一対のローラと、
第２の防水扉もしくは固定パネルに設けた、起立状態の第１の防水扉のローラに向けて張出す係合片と
を含み、
第１の防水扉の起立時に各ローラと係合片が互いに係合する
ことを特徴とする請求項１に記載の防水扉装置。
【請求項４】
係合手段は、
第１の防水扉の起立時上部に設けた、起倒方向の係合孔と、
第２の防水扉もしくは固定パネルに設けた、起立状態の第１の防水扉の係合孔に向けて張出す係合ピンと
を含み、
第１の防水扉の起立時に係合孔と係合ピンが互いに係合する
ことを特徴とする請求項１に記載の防水扉装置。
【請求項５】
第１の防水扉と第２の防水扉とが、起立時にコーナー部を形成するように設けられており、
係合手段は、
第２の防水扉における第１の防水扉側の側部に設けた係合凹部と、
第１の防水扉に設けた、起立状態の第２の防水扉の係合凹部に向けて張出す起倒方向の係合片と
を含み、
第１及び第２の防水扉の起立時に係合凹部と係合片が互いに係合する
ことを特徴とする請求項１に記載の防水扉装置。
【請求項６】
固定パネルが、床面に対して着脱可能である
ことを特徴とする請求項１ないしは請求項５のいずれかに記載の防水扉装置。
【発明の詳細な説明】
【技術分野】
【０００１】
本発明は、主に建物や駐車場等の出入口からの浸水を防止する防水扉装置に関する。
【背景技術】
【０００２】
従来の防水扉装置として、下記特許文献１に記載のものが知られている。当該防水扉装置では、複数の防水扉が配されている一方、各防水扉において、起立状態で支持してロックするロックアームが設けられている。また、特許文献１に直接の開示はないが、防水扉の枚数が多い場合に、中間部に固定パネル等を設置し、その固定パネル等に防水扉を当接させるようにすることが知られている。
【０００３】
【特許文献１】特開２００５−１２０５９４号公報
【発明の開示】
【発明が解決しようとする課題】
【０００４】
上記従来の防水扉装置では、防水扉を各自単独でロックすることができるものの、他の防水扉や固定パネル等に対してロックするものではないので、隣接する防水扉や固定パネル等が互いに離れる等して防水性能に支障を来すおそれがある。
【０００５】
そこで、請求項１に記載の発明は、防水扉に対する他の防水扉や固定パネル等のふらつきを防止し、浸水防止性能を高水準に維持することのできる防水扉装置を提供することを目的としたものである。
【課題を解決するための手段】
【０００６】
上記目的を達成するために、請求項１に記載の発明は、起倒可能である第１の防水扉と、防水扉に隣接する第２の防水扉もしくは固定パネルと、第１の防水扉、及び第２の防水扉もしくは固定パネルに設置される係合手段とを備え、係合手段は、第１の防水扉の起立移動により、第１の防水扉側と、第２の防水扉もしくは固定パネル側とで互いに係合し、第１の防水扉の起倒方向に対して交差する方向への、第１の防水扉と、第２の防水扉もしくは固定パネルとの相対移動を規制することを特徴とするものである。
【０００７】
請求項２に記載の発明は、上記目的に加えて、左右へのふらつきの防止の度合いを一層高いものとする目的を達成するため、係合手段は、第１の防水扉に設けた、起倒方向の嵌合溝と、第２の防水扉もしくは固定パネルに設けた、起立状態の第１の防水扉の嵌合溝に向けて張出す係合片とを含み、第１の防水扉の起立時に嵌合溝と係合片が互いに係合することを特徴とするものである。
【０００８】
請求項３に記載の発明は、上記目的に加えて、より一層ふらつき防止状態への移行を円滑にする目的を達成するため、係合手段は、第１の防水扉の起立時上面において扉幅方向に間隔をあけて設けた一対のローラと、第２の防水扉もしくは固定パネルに設けた、起立状態の第１の防水扉のローラに向けて張出す係合片とを含み、第１の防水扉の起立時に各ローラと係合片が互いに係合することを特徴とするものである。
【０００９】
請求項４に記載の発明は、上記目的を達成するため、係合手段は、第１の防水扉の起立時上部に設けた、起倒方向の係合孔と、第２の防水扉もしくは固定パネルに設けた、起立状態の第１の防水扉の係合孔に向けて張出す係合ピンとを含み、第１の防水扉の起立時に係合孔と係合ピンが互いに係合することを特徴とするものである。
【００１０】
請求項５に記載の発明は、上記目的に加えて、コーナー部における隙間をも所定間隔内に維持して防水性能を意図通り高水準のものとする目的を達成するため、第１の防水扉と第２の防水扉とが、起立時にコーナー部を形成するように設けられており、係合手段は、第２の防水扉における第１の防水扉側の側部に設けた係合凹部と、第１の防水扉に設けた、起立状態の第２の防水扉の係合凹部に向けて張出す起倒方向の係合片とを含み、第１及び第２の防水扉の起立時に係合凹部と係合片が互いに係合することを特徴とするものである。
【００１１】
請求項６に記載の発明は、上記目的に加えて、設置の自由度を高めながら防水性能を高水準に維持する目的を達成するため、固定パネルが、床面に対して着脱可能であることを特徴とするものである。
【発明の効果】
【００１２】
本発明によれば、防水扉に、起立の際他の防水扉や固定パネル等に対して係合する係合手段を設けたので、他の防水扉や固定パネル等と防水扉との位置関係を設計通り維持することができ、もって設計通りの高水準な防水性能を保持することができる、という効果を奏する。
【発明を実施するための最良の形態】
【００１３】
以下、本発明の実施形態（第１形態〜第３形態）に係る防水扉装置について、適宜図面に基づいて説明する。
【００１４】
［第１形態］
図１（ａ）は第１形態に係る防水扉装置１において、各防水扉２が倒伏位置にある状態（倒伏状態）での平面図、図１（ｂ）は（ａ）の一部拡大図であり、図２は図１（ａ）の一部拡大図（一部切欠あり）であり、図３は図２の一部拡大図（切欠なし）であり、図４は図３のＫ−Ｋ線断面図であり、図５は図４の倒伏状態から防水扉２を起立させた場合の途中の状態を示す図であり、図６は図５の状態を経て防水扉２が完全に起立して起立位置となった状態（起立状態）を示す図である。
【００１５】
防水扉装置１は、複数の防水扉２を有する。これら防水扉２は、倒伏位置において、建物Ｈ（駐車場等でも良い）の出入口の床面に埋設された収納凹部体４の上部開口を閉鎖する。防水扉２ないし収納凹部体４は、ここでは、建物Ｈの角からの二辺に応じて配置されている。収納凹部体４の開口内側には、縁材６が取り付けられている。また、収納凹部体４の前部（建物Ｈ側の部分）内側には、シール材８が取り付けてあり、起立位置における各防水扉２の下部は、当該シール材８に当接する。なお、倒伏時防水扉２の配置されない収納凹部体４のコーナー部には、固定カバー９が設置されているが、固定カバー８に代えて、着脱自在のカバーを設置しても良い。また、収納凹部体４の前部左右端には、端に位置する防水扉２の端辺が起立時に当接するシール材１０付きの扉枠１２が立設されている。
【００１６】
また、各防水扉２の上部と、収納凹部体４の後部とにおいて、起倒機構としての一対の起倒装置２０が連結されている。起倒装置２０は、支持アーム２２と回動アーム２４とを備えている。支持アーム２２の下端縁には、駆動源２６により回転駆動される駆動軸２８が接続されている。加えて、各防水扉２の下部と、収納凹部体４の前部とにおいて、一対のヒンジ装置３０が連結されている。なお、ここでの各防水扉２の構造は、本出願人による先の出願に係る特開２００６−０７７３８９に示された通りであり、各防水扉２は、駆動軸２８の回動により、図２ないし図４等に示すように、倒伏位置から起立位置にわたり起倒動作するものである。
【００１７】
そして、後述する止水板７２の有る端を除く各防水扉２の裏面（倒伏位置における下面、起立位置における後面）における右辺縁（図１０等では左辺縁）には、連動機構４０を介して隙間閉鎖部材４１が設置されている。図７は主に連動機構４０ないしは隙間閉鎖部材４１を示す図２のＬ−Ｌ線断面図及び一部拡大図であり、図８は図７の倒伏状態から防水扉２を起立させた場合の途中の状態を示す図、図９は図８の状態を経た起立状態を示す図である。
【００１８】
隙間閉鎖部材４１は、図１０に示すように、棒状のゴムブロック４２と、前側においてゴムブロック４２が固定されるとともに、後側において支持枠４４が上下動可能に受け入れられる、断面逆Ｕ字状の棒体と断面Ｕ字状の棒体とが接合された閉鎖当接部材４６とを有する。一方、連動機構４０は、支持枠４４の両端縁（倒伏状態では前後端縁、起立状態では上下端縁）のそれぞれに回動可能に取り付けられた連動アーム４８と、各連動アーム４８毎に防水扉２の裏面端部に固定的に設けられ、連動アーム４８の一部を収容する収容部５０とを備える。
【００１９】
隙間閉鎖部材４１は、防水扉２の右辺とほぼ平行に配置される。支持枠４４と閉鎖当接部材４６とは、閉鎖当接部材４６の近傍においてそれぞれ設けられたピン５２と、これを受け入れる、支持枠４４に設けられた長孔５４とを介して接続されている。支持枠４４は、閉鎖当接部材４６より細くなっている。
【００２０】
また、連動アーム４８は、第１棒状部５６及び第２棒状部５７の端部同士が結合した、全体がＬ字状のブロック体であって、第１棒状部５６が、収容部５０において、防水扉２に対して斜め（倒伏状態では前下がり、起立状態では後下がり）の姿勢において、長手方向に貫かれた枢軸５８の周りで回動可能とされているとともに、第２棒状部５７が、先端縁においてほぼ直交する方向（枢軸５８と平行な方向）に貫かれた支持軸５９を介して、支持枠４４に対しても回動可能に取り付けられている。なお、第２棒状部５７は、倒伏状態ではやや後下がり、起立状態では若干前下がりとなる。
【００２１】
加えて、支持枠４４の前側（起立状態では前側下部）と収納凹部体４の前部底面との間において、紐状の引下部材６０が渡されている。引下部材６０は、防水扉２の起立により僅かに上昇する支持枠４４の前部を引っ張る長さとなっており、倒伏状態では若干弛んでいる。
【００２２】
更に、コーナー部における２つの防水扉２の一方に設けられた連動機構４０ないしは隙間閉鎖部材４１について、図１１を中心に詳述する。この隙間閉鎖部材４１は、コーナー部の防水扉２の起立時に形成される、一方の防水扉２の裏面側端と他方の防水扉２の側面前端との隙間に当接する。なお、当該裏面と側面とは面一である。また、この隙間閉鎖部材４１の下部は、隙間閉鎖時、収納凹部体４の前コーナー内部において、他の横方向のシール材１０より膨出するように設置されたシール材６１と当接する。
【００２３】
また、コーナー部における２つの防水扉２の一方（第１の防水扉）に、起立時において前方（他方の防水扉２の内方）へ向かう先端部６２を備えた、係合手段の一つ（係合片）としての鉤６３が設けられている。鉤６３は、連動機構４０ないしは隙間閉鎖部材４１を備えた防水扉２の、起立時上側端部に固定されている。また、他方の防水扉２（第２の防水扉）に、鉤６３の先端部６２を受入可能な、係合手段の一つ（係合凹部）としての溝６４が設けられている。溝６４は、防水扉２の側面から内方へ設けられており、起立時の上部（防水扉２の角部付近）に配置されている。鉤６３の先端部は、双方の防水扉２の起立時において、溝６４へ向けて張出す。
【００２４】
一方、収納凹部体４の一端の側辺外方には、図１に示すように、収納凹部体４の側辺に平行に外壁Ｗ１が配されており、外壁Ｗ１からは固定パネルとしての止水板７２が端の防水扉２側へ突出している。なお、止水板７２の後面には、起立時の端の防水扉２の前面側端縁と当接可能な防水パッキン７４が設置されているが、防水パッキン７４を省略し、止水板７２が直接防水扉２に接触するようにしても良い。
【００２５】
他方、図３のＺ−Ｚ線断面図（内部機構省略）である図１２にも示すように、収納凹部体４の他端の側辺前方には、当該側辺と連続するように配置された固定パネルとしての止水支柱７６が、床面に設置された凹部体７８に対して着脱可能に設けられている。止水支柱７６は、防水扉２と同様の高さを有しており、収納凹部体４の前辺と平行な外壁Ｗ２の凹部Ｗ３と収納凹部体４端辺との間を渡されている。止水支柱７６の防水扉２側の端面には、防水扉２の前面側縁に当接可能なシール材８０が固定されている。
【００２６】
また、止水支柱７６の防水扉２側の上部には、別の係合手段の一つ（係合片）としての突起８４が設置されており、端の防水扉２の側縁上部には、起立時に突起８４を受入可能な、別の係合手段の一つ（嵌合溝）としての溝８６が形成されている。突起８４は、防水扉２の起立時において、溝８６に向けて張出す。
【００２７】
このように成る第１形態に係る防水扉装置１の動作につき説明する。倒伏位置にある防水扉２は、起倒装置２０により両端のものからそれぞれ順に後辺（建物Ｈから遠い辺）を持ち上げて起立していく。
【００２８】
すると、まず、止水板７２の防水パッキン７４と止水板７２側の防水扉２の端縁とが当接する一方、止水支柱７６のシール材８０と止水支柱７６側の防水扉２の端縁とが当接し、防水扉装置１の端部におけるシールが完了する。
【００２９】
また、特に止水支柱７６側では、図１３に示すように、防水扉２起立時、突起８４と溝８６は嵌合により係合し、溝８６を有する防水扉２と、突起８４を備えた止水支柱７６とが相対的に移動しようとすると、突起８４の側部が溝８６の側部に引っ掛かるので、防水扉２と止水支柱７６との相対移動が規制され、もって止水支柱７６が、防水扉２ないしは外壁Ｗ２に対して、起倒方向と交差（直交）する方向である左右にずれ動きふらつく事態を防止する。
【００３０】
次に、２番目以降に起立する各防水扉２の連動機構４０が、次に示すように、起立動作に連動して、隙間閉鎖部材４１を、先に起立した隣接する防水扉２との隙間（起立する防水扉２側方の隙間）に対して押し付ける。
【００３１】
即ち、連動アーム４８の第２棒状部５７は、倒伏時、後下がりの姿勢で下側に位置しており（図７あるいは図１０（ａ））、起立し始めでもこの姿勢はさほど変わらないが、起立するに従い、そのままでは後上がりになる姿勢となる。しかし、第２棒状部５７にも自重ないしは支持枠４４の重力が当然作用するので、ある時点（およそ図８の時点）において、第２棒状部５７が下側となるように、第１棒状部５６の周りで連動アーム４８が回転する（図８あるいは図１０（ｂ））。
【００３２】
この回転は、防水扉２の起立に伴い、自然に連動するものであり、この回転により、支持枠４４及び閉鎖当接部材４６を介して、ゴムブロック４２が前方右に前進する。なお、第２棒状部５７の先端縁は、併せて下方にも移動するが、この移動は、ゴムブロック４２が防水扉２に当接して下降移動が停止された後は、支持枠４４の長孔５４が閉鎖当接部材４６のピン５２に対して相対的に下方へ移動し、支持枠４４が閉鎖当接部材４６に対して下方に滑ることで調整される。また、この下方への移動は、引下部材６０が支持枠４４を引き下げることにより、円滑に行われる。一方、支持枠４４が閉鎖当接部材４６より細くなっているので、支持枠４４は閉鎖当接部材４６内で左右移動も可能であり、この左右移動によってもゴムブロック４２や閉鎖当接部材４６の移動が調整される。
【００３３】
そして、防水扉２が起立位置となった場合には（図９あるいは図１０（ｃ））、連動アーム４８の第２棒状部５７が前下がりとなり、支持枠４４及び閉鎖当接部材４６を介して、ゴムブロック４２が防水扉２の背面（裏面）に押し付けられる。この押し付けは、連動アーム４８あるいは支持枠４４の重力により充分強固に行われるが、引下部材６０による支持枠４４の引き下げの作用と相まって、より一層強固に行われるものである。
【００３４】
このようにして、コーナー部の防水扉２まで順次起立していく。コーナー部の防水扉２は、溝６４を有するものが先に起立し、起立状態の防水扉２の溝６２に、鉤６３が、これを有する防水扉２の起立により入っていき、嵌合する。溝６２を有する防水扉２と、鉤６３を備えた防水扉２とが相対的に移動しようとすると、鉤６３先端部の側部が溝６２の側部に接触し止められるので、防水扉２同士の相対移動が規制され、もって防水扉２同士が、起倒方向と交差（直交）する方向である左右にずれ動きふらつく事態を防止する。また、溝６２と鉤６３とにつきコーナー部を構成する防水扉２のそれぞれに設けてあり、コーナー部における各防水扉２の相対移動が規制される。なおここでは、この起立の順番から、鉤６３を有する防水扉２が連動機構４０及び隙間閉鎖部材４１を有することとなる。
【００３５】
一方、防水扉２が起倒装置２０により起立位置からの傾倒を始めると、丁度起立と逆の状態を辿る。即ち、鉤６３を有するコーナー部の防水扉２がまず傾倒し、次いで溝６４を有する防水扉２が傾倒する。鉤６３が防水扉２の傾倒により溝６４から離れて、コーナー部における防水扉２同士の組み合いが解かれ、溝６４を有する防水扉２が傾倒可能となる。
【００３６】
また、順次防水扉２が倒伏していく際、各隙間閉鎖部材４１に関し、図８あるいは図１０（ｂ）の時点以降において、連動アーム４８の第２棒状部５７が下方に移動して、接続部４４、閉鎖当接部材４６ないしはゴムブロック４２（隙間閉鎖部材４１）を下方に移動させ、防水扉２が倒伏位置（図７あるいは図１０（ａ）、倒伏状態）となると、第２棒状部５７が隙間閉鎖部材４１を斜め下方（自らが設けられる防水扉２に近寄る方向かつ下方向）へ後退させる。その結果、隙間閉鎖部材４１は防水扉２の側辺より内側へ入るように移動され、倒伏位置へ移動する隣接する防水扉２との干渉が回避される。
【００３７】
そして、止水板７２側の防水扉２は止水板７２から離れて倒伏し、一方止水支柱７６側の防水扉２は止水支柱７６から離れて倒伏し、このとき止水支柱７６の突起８４から防水扉２の溝８６が離れる。
【００３８】
第１形態に係る防水扉装置１では、起倒可能である防水扉２と、防水扉２に隣接する止水支柱７６と、防水扉２及び止水支柱７６に設置される係合手段とを備え、係合手段は、防水扉２の起立移動により、防水扉２側と、止水支柱７６側とで互いに係合し、防水扉２の起倒方向に対して交差する方向への、防水扉２と、止水支柱７６との相対移動を規制するので、防水扉２起立時において、防水扉２と止水支柱７６との隙間を所定状態に維持することができ、当該隙間を埋めるシール材８０の接触（圧接）状態を設計通りに維持し、防水扉２がシール材８０から離れないようにして防水性能を高水準に維持することができる。
【００３９】
また、防水扉装置１にあって、係合手段は、防水扉２に設けた、起倒方向の溝８６と、止水支柱７６に設けた、起立状態の防水扉２の溝８６に向けて張出す突起８４とを含み、防水扉２の起立時に溝８６と突起８４が互いに係合するので、左右へのふらつきの防止の度合いを一層高いものとし、隙間の幅をより高水準に維持して、高レベルの防水性能の提供に寄与することができる。
【００４０】
更に、防水扉装置１では、防水扉２同士が、起立時にコーナー部を形成するように設けられており、その係合手段は、防水扉２における別の防水扉２側の側部に設けた溝６４と、当該別の防水扉２に設けた、起立状態の防水扉２の溝６４に向けて張出す起倒方向の鉤６３とを含み、双方の防水扉２の起立時に、溝６４と鉤６３とが互いに係合するので、コーナー部における隙間をも設計間隔内に維持して、隙間閉鎖部材４１による隙間の閉鎖の範囲外に隙間が広がる事態を防止し、隙間の閉鎖を確実なものとして、防水性能を極めて高いレベルに保持することができる。
【００４１】
なお、隙間閉鎖部材４１は、防水扉２の倒伏時、後端（起立時上端）が防水扉の後辺以前となるよう収納される一方、防水扉２の起立時に、連動機構４０によって前進するとともに下降することで止水するため、隙間閉鎖部材４１による止水高さは、防水扉２の上端から所定量（例えば３０〜４０ミリメートル）下がることになり、単独の防水扉２における止水高さに至らないこととなる。そこで、図１１に仮想線で示すように、一方の防水扉２の裏面上部に止水延長手段としての止水ゴム２００を固着しておき、防水扉２の起立時に、この止水ゴム２００が他方の防水扉２に圧着し、また隙間閉鎖部材４１（の上端縁）が止水ゴム２００に圧着するようにすると、止水面が止水ゴム２００の高さ分だけ上方に延長されるので好ましく、止水ゴム２００の起立時上端を防水扉２の上辺に揃えれば、隙間閉鎖部材４１及び止水ゴム２００による止水高さが防水扉２単体の止水高さと揃うのでより好ましい。
【００４２】
［第２形態］
第２形態に係る防水扉装置は、止水支柱側の防水扉の側縁上部の構成以外は、第１形態に係る防水扉装置とほぼ同様に成る。図１４は第２形態に係る防水扉装置における起立直前の当該防水扉１０２及びその周辺の斜視図である。当該防水扉１０２の側縁上部には、止水支柱１０３から張出した係合手段（係合片）としての突起１０４をそれらの間に受入可能である、係合手段としての２つのローラ１０６が、扉幅方向に間隔をあけて設けられている。各ローラ１０６は、起立時の上下方向を軸として回転可能である。ローラ１０６の間隔は、突起１０４の幅と同等とされており、ローラ１０６の間に突起１０４が受け入れられた際には、突起１０４の側部に各ローラ１０６が当接する。
【００４３】
第２形態の防水扉装置では、防水扉１０２が止水支柱１０４に対して左右にずれようとしても、ローラ１０６が止水支柱１０３の突起１０４に掛かるのでずれることはなく、もって当該防水扉１０２側方の隙間を安定したものとして、これを塞ぐ隙間閉鎖部材の作動の安定性を図り、本形態に係る防水扉装置の防水性能を高めるものである。また、ローラ１０６が、受け入れた突起１０４に当接し、突起１０４を起倒方向に送ることで、起立時に突起１０４が円滑に受入れられ、防水扉１０２における起倒方向の交差方向への相対移動をスムースに防止することができる。
【００４４】
［第３形態］
第３形態に係る防水扉装置は、止水支柱側の防水扉の側縁上部の構成及び止水支柱の上部の構成以外は、第１形態に係る防水扉装置とほぼ同様に成る。図１５は第３形態に係る防水扉装置における起立直前の当該防水扉１１２及びその周辺の斜視図である。当該防水扉１１２の側縁上部には、係合手段（係合孔）としての孔１１６が開けられている。一方、止水支柱１１３の防水扉１１２側の上部には、孔１１６と同様な形状である、係合手段（係合ピン）としての突軸１１４が設置されている。突軸１１４は、起立状態の防水扉１１２における孔１１６へ向けて張出している。
【００４５】
そして、防水扉１１２起立時、突軸１１４が孔１１６に入ることにより、突軸１１４と孔１１６とが係合し、もって防水扉１１２あるいは止水支柱１１３のぶれが互いに防止され、防水扉１１２側方の隙間の安定を図り、これを塞ぐ隙間閉鎖部材の作動の安定性を確保して、本形態に係る防水扉装置の防水性能を高めるものである。なお、係合孔は貫通孔ではなく有底の穴であっても良い。
【００４６】
［変更例］
なお、主に上記実施の形態を変更してなる、本発明の他の形態を例示する。防水扉の起伏に連動する隙間閉鎖部材を設けず、防水扉の起立後手動により前進させ、倒伏前手動により後退させるような隙間閉鎖部材を設ける。この場合でも、防水扉側方の隙間は維持されるので、高水準の防水性能を保持することができる。
【００４７】
係合手段を、同一平面上に、互いに沿うようにして並ぶ防水扉同士、あるいは防止扉と固定パネルとに設ける。あるいは、例えば、起立時に、ある防水扉の元から存在する凹部に対して入っていく突起を隣の防水扉のみに設けるといったように、一方の防水扉は通常のものを用い、他方の防水扉等のみに、当該一方の防水扉における左右の動きを規制する係合手段を設ける。この場合、元から存在する凹部等が係合手段の一つとなる。なお、係合手段による係合において、一方が他方に嵌っても良いし、例えば設計値以内での左右のぶれを許容するように、ある程度余裕があっても良い。
【００４８】
起倒装置を設置せず、起倒機構を、手動により防水扉を起倒させるものとする。起倒装置につき、各防水扉の全部または一部を一斉にあるいは殆ど同時に起倒させるものとする。各部材を一体あるいは別体にする。また、隙間閉鎖部材を、一つ置きの防水扉の両側に配置したり、左辺側に配置したりする。ゴムブロックや防水パッキン、シール材、各種バネを他の弾性体の他形状とする。
【００４９】
防水扉側方の隙間を、建物外壁や固定パネル（止水板あるいは止水支柱等）を始めとする他のものとの間で形成されるようにする。この場合であっても、防水扉における左右の動きを規制する部材を外壁や固定パネル等に設ければ、防水扉と外壁等との隙間が設計値通りに維持されることで防水性能を所期のものに保持することができる。なお、このような隙間に対して隙間閉鎖部材を配置することもできる。
【００５０】
また、固定パネルを、建物外壁としたり、止水機能を特に備えない壁としたりする。防水扉、収納凹部体、各種固定パネルの設置数や配置を上記以外のものとする。隙間閉鎖部材ないしは連動部材を、第１形態以外のものとする。各種隙間の側端部に設けたシール材あるいはパッキンを、隙間閉鎖部材と併用する。鉤と溝、突起と溝、ローラと突起、突軸と孔（穴）、係合凹部と係合片の設置箇所を入れ替えたり、鉤を突起や突軸と同様のものとしたりする。第２形態において、２つのローラの一方あるいは双方を、固定パネルと一体の突体とする。
【図面の簡単な説明】
【００５１】
【図１】（ａ）は本発明の第１形態に係る防水扉装置の、倒伏状態での平面図であり、（ｂ）は（ａ）の一部拡大図である。
【図２】図１（ａ）の一部拡大図（一部切欠あり）である。
【図３】図２の一部拡大図（切欠なし、一部省略）である。
【図４】図３のＫ−Ｋ線断面図である。
【図５】図４からの起立途中の状態を示す図である。
【図６】図５からの起立状態を示す図である。
【図７】図１のＬ−Ｌ線断面図及び一部拡大図である。
【図８】図７からの起立途中の状態を示す図である。
【図９】図８からの起立状態を示す図である。
【図１０】（ａ）〜（ｃ）は図７〜９の拡大図に対応する斜方平面図である。
【図１１】防水扉を起立状態とした場合のコーナー部付近の斜視図である。
【図１２】図３のＺ−Ｚ線断面図である。
【図１３】図３の止水支柱における防水扉側の上角部付近の斜視図（起立位置直前）である。
【図１４】第２形態に係る防水扉装置における、止水支柱側最側方の起立直前の防水扉及びその周辺の斜視図である。
【図１５】第３形態に係る防水扉装置における、止水支柱側最側方の起立直前の防水扉及びその周辺の斜視図である。
【符号の説明】
【００５２】
１    防水扉装置
２、１０２、１１２    防水扉
６３    鉤（係合手段、係合片）
６４    溝（係合手段、係合凹部）
７２    止水板（固定パネル）
７６    止水支柱（固定パネル）
８４    突起（係合手段、係合片）
８６    溝（係合手段、嵌合溝）
１０４    突起（係合手段、係合片）
１０６    ローラ（係合手段）
１１４    突軸（係合手段、係合ピン）
１１６    孔（係合手段、係合孔）
【図１】
2008138375.tif 000003
【図２】
2008138375.tif 000004
【図３】
2008138375.tif 000005
【図４】
2008138375.tif 000006
【図５】
2008138375.tif 000007
【図６】
2008138375.tif 000008
【図７】
2008138375.tif 000009
【図８】
2008138375.tif 000010
【図９】
2008138375.tif 000011
【図１０】
2008138375.tif 000012
【図１１】
2008138375.tif 000013
【図１２】
2008138375.tif 000014
【図１３】
2008138375.tif 000015
【図１４】
2008138375.tif 000016
【図１５】
2008138375.tif 000017